(57)【要約】【課題】より高い省エネルギー効果を得ることができる送風量制御装置、送風量制御方法及びコンピュータプログラムを提供することである。【解決手段】実施形態の送風量制御装置は、移動平均アンモニア濃度取得部と、制御部とを持つ。移動平均アンモニア濃度取得部は、生物反応槽内の被処理水のアンモニア濃度の移動平均値である移動平均アンモニア濃度を算出する。制御部は、前記移動平均アンモニア濃度と、前記移動平均アンモニア濃度の目標値との差に基づいて前記生物反応槽に空気を供給する送風機の送風量を制御する。【選択図】図１
2019018170.tif 000002
【特許請求の範囲】
【請求項１】
生物反応槽内の被処理水のアンモニア濃度の移動平均値である移動平均アンモニア濃度を算出する移動平均アンモニア濃度取得部と、
前記移動平均アンモニア濃度と、前記移動平均アンモニア濃度の目標値との差に基づいて前記生物反応槽に空気を供給する送風機の送風量を制御する制御部と、
を備える送風量制御装置。
【請求項２】
前記制御部は、
前記生物反応槽内の被処理水のアンモニア濃度と前記送風機の送風量の目標値である第１の目標値との関係を示す第１設定情報と、前記被処理水のアンモニア濃度の測定値と、に基づいて前記送風量の第１の目標値を取得する第１の制御部と、
前記移動平均アンモニア濃度と、その目標値との差に基づいて前記第１の目標値を補正することによって得られる第２の目標値を前記送風量の目標値として前記送風機を制御する第２の制御部と、
を備える、
請求項１に記載の送風量制御装置。
【請求項３】
前記制御部は、
前記生物反応槽内の被処理水のアンモニア濃度と前記送風機の空気倍率の目標値である第１の目標値との関係を示す第１設定情報と、前記被処理水のアンモニア濃度の測定値と、に基づいて前記空気倍率の第１の目標値を取得する第１の制御部と、
前記移動平均アンモニア濃度と、その目標値との差に基づいて前記第１の目標値を補正した第２の目標値を取得し、前記第２の目標値と前記生物反応槽に流入する被処理水の流量とに基づいて得られる送風量の目標値に基づいて、前記送風機を制御する第２の制御部と、
を備える、
請求項１に記載の送風量制御装置。
【請求項４】
前記制御部は、
前記生物反応槽内の被処理水のアンモニア濃度と前記被処理水の溶存酸素濃度の目標値である第１の目標値との関係を示す第１設定情報と、前記被処理水のアンモニア濃度の測定値と、に基づいて前記溶存酸素濃度の第１の目標値を取得する第１の制御部と、
前記移動平均アンモニア濃度と、その目標値との差に基づいて前記第１の目標値を補正した第２の目標値を取得し、前記第２の目標値と前記被処理水の溶存酸素濃度の測定値と、の差に基づいて前記送風機の送風量を制御する第２の制御部と、
を備える、
請求項１に記載の送風量制御装置。
【請求項５】
前記第１の制御部は、前記被処理水の処理日の特性に応じた前記関係を示す前記第１設定情報を用いて前記第１の目標値を取得する、
請求項２から４のいずれか一項に記載の送風量制御装置。
【請求項６】
前記第１の制御部は、前記被処理水の処理日の天候に応じた前記関係を示す前記第１設定情報を用いて前記第１の目標値を取得する、
請求項５に記載の送風量制御装置。
【請求項７】
生物反応槽内の被処理水のアンモニア濃度の移動平均値である移動平均アンモニア濃度を算出し、
前記移動平均アンモニア濃度と、前記移動平均アンモニア濃度の目標値との差に基づいて前記生物反応槽に空気を供給する送風機の送風量を制御する、
送風量制御方法。
【請求項８】
生物反応槽内の被処理水のアンモニア濃度の移動平均値である移動平均アンモニア濃度を算出する移動平均アンモニア濃度取得部と、
前記移動平均アンモニア濃度と、前記移動平均アンモニア濃度の目標値との差に基づいて前記生物反応槽に空気を供給する送風機の送風量を制御する制御部と、
を備える送風量制御装置として、
コンピュータを機能させるためのコンピュータプログラム。
【発明の詳細な説明】
【技術分野】
【０００１】
本発明の実施形態は、送風量制御装置、送風量制御方法及びコンピュータプログラムに関する。
【背景技術】
【０００２】
従来、有機物を含む排水を処理する有機排水処理施設（例えば、下水処理場）において、排水中の有機物を除去する代表的な手法として標準活性汚泥法が知られている。標準活性汚泥法は、好気微生物の働きによって排水中の有機物を酸化分解することにより排水中の有機物を除去する方法である。好気微生物は空気が供給されることで活性化する微生物である。標準活性汚泥法を採用する有機排水処理施設は、送風機によって排水中に空気を供給することで好気微生物を活性化させる生物反応槽を備える。さらに近年では、有機物の除去に加え、処理済み水（以下「処理水」という。）の放流先河川のＮ−ＢＯＤ（Nitrogenous Biochemical Oxygen Demand：アンモニア態窒素の酸化分解に伴う生物化学的酸素要求量）対策や、放流先河川の富栄養化対策などを背景に、処理水中のアンモニア態窒素の低減が求められるケースが多くなってきている。
【０００３】
しかしながら、従来の制御方法では、流入水量の変動や流入水質の変動が大きい場合、送風量の日間変動幅が非常に大きくなることから、送風量の調整によって省エネルギー効果を得ようとする場合、その調整による送風量の変動に対応した機器構成が必要となる。通常、送風機が送り出すことができる風量の上限値は高負荷時の最大風量が賄えるように設計される。その一方で、上限値が高く設計されるほど、送風機が送り出すことができる風量の下限値は相対的に高くなる。そのため、大きな変動幅に対応できるように設計された送風機は、本来、省エネルギー効果を得られる低負荷時間帯で、送風量を十分に下げることができず、省エネルギー効果を十分に得ることができない場合があった。
【先行技術文献】
【特許文献】
【０００４】
【特許文献１】特開２００５−１９９１１６号公報
【発明の概要】
【発明が解決しようとする課題】
【０００５】
本発明が解決しようとする課題は、より高い省エネルギー効果を得ることができる送風量制御装置、送風量制御方法及びコンピュータプログラムを提供することである。
【課題を解決するための手段】
【０００６】
実施形態の送風量制御装置は、移動平均アンモニア濃度取得部と、制御部とを持つ。移動平均アンモニア濃度取得部は、生物反応槽内の被処理水のアンモニア濃度の移動平均値である移動平均アンモニア濃度を算出する。制御部は、前記移動平均アンモニア濃度と、前記移動平均アンモニア濃度の目標値との差に基づいて前記生物反応槽に空気を供給する送風機の送風量を制御する。
【図面の簡単な説明】
【０００７】
【図１】第１の実施形態における有機排水処理システム１００の構成の具体例を示す図。
【図２】第１の実施形態における第１設定情報の具体例を示す図。
【図３】第１の実施形態の送風量制御装置１が生物反応槽２０に対する送風機５０の送風量を制御する処理の流れを示すフローチャート。
【図４】第１の実施形態の有機排水処理システム１００によって実現される省エネルギー効果の具体例を示す図。
【図５】第２の実施形態における有機排水処理システム１００ａの構成の具体例を示す図。
【図６】第２の実施形態における第１設定情報の具体例を示す図。
【図７】第３の実施形態における有機排水処理システム１００ｂの構成の具体例を示す図。
【図８】第３の実施形態における第１設定情報の具体例を示す図。
【図９】第４の実施形態における有機排水処理システム１００ｃの構成の具体例を示す図。
【図１０】第４の実施形態における第１設定情報の具体例を示す図。
【発明を実施するための形態】
【０００８】
以下、実施形態の送風量制御装置、送風量制御方法及びコンピュータプログラムを、図面を参照して説明する。
【０００９】
（概略）
河川の環境指標値の代表的なものとして、ＢＯＤ（Biochemical Oxygen Demand：生物化学的酸素要求量）がある。このＢＯＤは、有機物の酸化分解に伴う酸素要求量（Ｃ−ＢＯＤ）とアンモニア態窒素の酸化分解に伴う酸素要求量（Ｎ−ＢＯＤ）の総和として表される。近年、放流先となる河川や湖沼、閉鎖性海域等の富栄養化によるプランクトンの異常増殖を抑制するために、処理水中の窒素濃度の低減が求められており、その一つの手段として処理水中のアンモニア態窒素の濃度を低減させる方法が検討されている。
【００１０】
生物反応槽におけるアンモニアの除去は硝化菌によって行われる。そして、アンモニアを効果的に除去するためには、硝化菌に十分な酸素を供給する必要がある。水中のアンモニア態窒素（ＮＨ４＋）は、生物反応槽内の硝化菌の働きにより、亜硝酸態窒素（ＮＯ２−）を経て硝酸態窒素（ＮＯ３−）に酸化される。この反応は次の化学式（１）及び（２）によって表される。
【００１１】
【化１】
2019018170.tif 000003
【００１２】
【化２】
2019018170.tif 000004
【００１３】
上式の反応により、アンモニア態窒素が除去された水のＮ−ＢＯＤが低下する。一般に有機物の分解反応速度は、化学式（１）及び（２）に示す生物反応の速度よりも早いため、十分にＮ−ＢＯＤが低下した水は、Ｃ−ＢＯＤも十分に低下したものとなる。したがって、Ｎ−ＢＯＤを十分に小さくする水処理を行うことで、有機物及びアンモニアの両方が十分に除去された処理水を得ることができる。
【００１４】
一方、上式の反応によって生成した硝酸態窒素（ＮＯ３−）を無酸素槽に返送すると、嫌気微生物の作用により硝酸態窒素が無害な窒素ガスに還元される反応が生じる。この反応は一般に脱窒と呼ばれ、この脱窒により水中から窒素成分が除去される。
【００１５】
従来の目標値追従型の制御によれば、生物反応槽内のアンモニア濃度（槽の出口付近に設置されたアンモニア濃度計で測定される）が目標値に近づくように送風量を制御することで、アンモニア濃度を常に目標値近辺に維持することができるが、高負荷時間帯（例えば、流入量が多い時間帯又は流入水の窒素濃度が高い時間帯などであり、すなわち処理すべき窒素量が大きい時間帯である）においては必要となる送風量が大きくなり、低負荷時間帯においては逆に送風量が非常に小さくなる。特に流入水量の変動や流入水質の変動の大きな処理施設では、送風量の日間変動幅が非常に大きくなることから、送風量の調整によって省エネルギー効果を得ようとした場合、その調整による送風量の変動に対応した機器構成が必要となる。
【００１６】
通常、送風機が送り出すことができる風量の上限値は高負荷時の最大風量が賄えるように設計される。その一方で、上限値が高く設計されるほど、送風機が送り出すことができる風量の下限値は相対的に高くなる。そのため、大きな変動幅に対応できるように設計された送風機は、本来、省エネルギー効果を得られる低負荷時間帯で、送風量を十分に下げることができず、省エネルギー効果を十分に得ることができない場合があった。以下では、このような送風機の制約がある場合においても、より高い省エネルギー効果を得ることができる送風量制御装置、送風量制御方法及びコンピュータプログラムの実施形態について説明する。
【００１７】
（第１の実施形態）
図１は、第１の実施形態における有機排水処理システム１００の構成の具体例を示す図である。例えば、有機排水処理システム１００は、最初沈澱池１０、生物反応槽２０、アンモニア濃度計２１、最終沈澱池３０、返送汚泥ポンプ４０、送風機５０及び送風量制御装置１を備える。
【００１８】
最初沈澱池１０は、処理対象の下水（排水）が流入する貯水槽である。最初沈澱池１０では、重力によって沈殿した不要物が下水から分離される。最初沈澱池１０では、下水に含まれる比較的大きな不要物が除去される。最初沈澱池１０において不要物が分離された上澄み水は後段の生物反応槽２０に送られる。以下、最初沈澱池１０に流入し有機排水処理システム１００によって放流可能な水（処理水）に処理されるまでの間の下水を被処理水という。
【００１９】
生物反応槽２０は、硝化菌等の微生物の働きによって被処理水から有機物や窒素成分を除去するための貯水槽である。生物反応槽２０では、微生物の働きによる不要物の除去に加え、凝集剤等の薬剤の注入による不要物の沈降分離も行われる。生物反応槽２０において不要物が分離された上澄み水は後段の最終沈澱池３０に送られる。
【００２０】
アンモニア濃度計２１は、例えば生物反応槽２０の下流側の出口付近に設置され、最終沈澱池３０に送られる上澄み水のアンモニア濃度を測定する。アンモニア濃度計２１は、所定タイミングで周期的にアンモニア濃度を測定し、測定したアンモニア濃度を示す情報を、送風量制御装置１に送信する。なお、アンモニア濃度計２１は、アンモニアがある程度除去された状態の被処理水を測定可能な位置であれば、どのような位置に設置されてもよい。例えば、アンモニア濃度計２１は、生物反応槽２０と最終沈澱池３０との間の配水路に設置されてもよいし、最終沈澱池３０に設置されてもよい。
【００２１】
最終沈澱池３０は、最初沈澱池１０と同様に、重力沈降によって被処理水から不要物を分離するための貯水槽である。最終沈澱池３０において不要物が分離された上澄み水は処理水として河川等に放流される。なお、最終沈澱池３０において分離された不要物（汚泥）のうち、一部の汚泥は返送汚泥ポンプ４０によって生物反応槽２０に返送される。一方、余剰分の汚泥（余剰汚泥）は図示しない汚泥処理プロセスに送られて処理される。
【００２２】
返送汚泥ポンプ４０は、汚泥中に残留する薬剤等の有効活用のため、最終沈澱池３０において沈殿した汚泥の一部を引き抜き、生物反応槽２０に返送する。
【００２３】
送風機５０は、生物反応槽２０に空気を供給する。例えば、送風機５０が送り出す空気配管２２は、生物反応槽２０の底部に設置された曝気用の吹き出し管２３に接続される。送風機５０が送り出した空気は、吹き出し管２３を介して生物反応槽２０内の被処理水に供給される。送風機５０が送り出す風量（以下「送風量」という。）は、送風量制御装置１によって制御される。
【００２４】
送風量制御装置１は、アンモニア濃度計２１によって測定された被処理水のアンモニア濃度に基づいて、送風機５０の送風量を制御する。具体的には、送風量制御装置１は、バスで接続されたＣＰＵ（Central Processing Unit）やメモリや補助記憶装置などを備え、プログラムを実行する。送風量制御装置１は、プログラムの実行によって第１設定部１１、第２設定部１２、日平均アンモニア濃度取得部１３、第１の目標値取得部１４（第１の制御部の一例）及び第２の目標値取得部１５（第２の制御部の一例）を備える装置として機能する。なお、送風量制御装置１の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。プログラムは、電気通信回線を介して送信されてもよい。
【００２５】
第１設定部１１は、第１の目標値取得部１４に対して、アンモニア濃度と送風量の目標値（以下「送風量目標値」という。）との関係を示す第１設定情報を出力する。第１設定情報は、アンモニア濃度を入力として送風量目標値を出力する関数を示す情報であってもよいし、個々のアンモニア濃度又はアンモニア濃度の範囲に対して送風量目標値が対応づけられたテーブルを示す情報であってもよい。
【００２６】
例えば、第１設定部１１は、マウスやキーボード、タッチパネル等の入力装置を含んで構成され、入力された第１設定情報を第１の目標値取得部１４に出力してもよい。この場合、第１設定情報は、例えばオペレータによって入力される。また、例えば、第１設定部１１は、オペレータが使用する監視端末（図示せ得ず）との通信インタフェースを含んで構成され、監視端末からネットワークを介して入力された第１設定情報を第１の目標値取得部１４に出力してもよい。また、例えば、第１設定部１１は、磁気ハードディスク装置や半導体記憶装置などの記憶装置を含んで構成され、それらの記憶装置に予め記憶された第１設定情報を第１の目標値取得部１４に出力してもよい。
【００２７】
第２設定部１２は、第２の目標値取得部１５に対して、１日の平均アンモニア濃度（以下「日平均アンモニア濃度」という。）の目標値を示す第２設定情報を出力する。第１設定部１１と同様に、第２設定部１１は、入力装置又は通信インタフェースを介して第２設定情報を取得してもよいし、予め第２設定情報を記憶した記憶装置から第２設定情報を取得してもよい。
【００２８】
日平均アンモニア濃度取得部１３は、アンモニア濃度計２１によって測定されたアンモニア濃度の測定値を蓄積し、日平均アンモニア濃度の実績値を算出する。具体的には、日平均アンモニア濃度取得部１３は、現在時刻から２４時間前までに取得された測定値の移動平均値を日平均アンモニア濃度として算出する。日平均アンモニア濃度取得部１３は、算出した日平均アンモニア濃度を示す情報を第２の目標値取得部１５に出力する。
【００２９】
第１の目標値取得部１４は、第１設定部１１から出力された第１設定情報と、アンモニア濃度計２１によって取得された生物反応槽２０の現在のアンモニア濃度とに基づいて、第１の送風量目標値を算出する。例えば、第１設定情報は、次の式（３）に示す関数Ｆによって表される。
【００３０】
【数１】
2019018170.tif 000005
【００３１】
【数２】
2019018170.tif 000006
【００３２】
式（３）において、ｘはアンモニア濃度計２１によって測定された現在（時刻ｔ）のアンモニア濃度ＮＨ４（ｔ）［ｍｇ／Ｌ］を表し、Ｙ１は現在のアンモニア濃度に対応する第１の送風量目標値［ｍ３／ｈ］を表す。第１の目標値取得部１４は、算出した第１の送風量目標値を第２の目標値取得部１５に出力する。
【００３３】
第２の目標値取得部１５は、第２設定部１２から出力された第２設定情報と、日平均アンモニア濃度取得部１３によって取得された日平均アンモニア濃度と、第１の目標値取得部１４によって取得された第１の送風量目標値とに基づいて、第２の送風量目標値を算出する。例えば、第２の目標値取得部１５は、次の式（５）によって第１の送風量目標値の補正値ΔＹ［ｍ３／ｈ］を算出する。
【００３４】
【数３】
2019018170.tif 000007
【００３５】
式（５）において、ＭＮＨ４は日平均アンモニア濃度取得部１３によって取得された日平均アンモニア濃度（移動平均値）［ｍｇ／Ｌ］を表し、ＣＮＨ４は第２設定部１２によって設定された日平均アンモニア濃度の目標値［ｍｇ／Ｌ］（第２設定情報）を表す。ｋ１は、日平均アンモニア濃度とその目標値との差分に基づいて補正値ΔＹを決定するための比例パラメータ［（ｍ３／ｈ）／（ｍｇ／Ｌ）］である。第２の目標値取得部１５は、このように算出した補正値ΔＹを用いて第１の送風量目標値を補正することにより、実際の制御に用いる最終的な送風量目標値として第２の送風量目標値を取得する。例えば、第２の目標値取得部１５は、次の式（６）によって第２の送風量目標値Ｙ２を算出する。
【００３６】
【数４】
2019018170.tif 000008
【００３７】
第２の目標値取得部１５は、送風機５０の送風量が、算出した第２の送風量目標値となるように送風機５０を制御する。例えば、第２の目標値取得部１５は、インバータにより送風ファンを駆動するモータの回転数を制御する。
【００３８】
図２は、第１の実施形態における第１設定情報の具体例を示す図である。図２は、第１設定情報が、アンモニア濃度を入力として第１の送風量目標値を出力する関数（以下「目標値関数」という。）として表される場合の具体例を示す。図２（Ａ）〜（Ｃ）のそれぞれにおいて、実線は目標値関数を表し、破線は第１の送風量目標値Ｙ１をΔＹで補正することによって得られる第２の送風量目標値Ｙ２を表す。このように、測定された現在のアンモニア濃度に応じて定まる第２の送風量目標値が、実際の制御に用いられる送風量目標値となる。
【００３９】
例えば図２（Ａ）は、目標値関数が、アンモニア濃度の上昇に応じて目標値を線形的に増大させる関数である場合の例を示す。図２（Ｂ）は、目標値関数が、アンモニア濃度の上昇に応じて目標値を非線形的に増大させる関数である場合の例を示す。図２（Ｃ）は、目標値関数が、アンモニア濃度の上昇に応じて目標値をステップ的に増大させる関数である場合の例を示す。目標値関数は、アンモニア濃度の上昇に応じて目標値を増大させる関数であれば図２（Ａ）〜（Ｃ）と異なる関数であってもよい。また、目標値関数は、過去の運転データ等に基づいて決定されるとよい。
【００４０】
図３は、第１の実施形態の送風量制御装置１が生物反応槽２０に対する送風機５０の送風量を制御する処理の流れを示すフローチャートである。まず、送風量制御装置１は、所定の測定周期ごとに、アンモニア濃度計２１から生物反応槽２０の出口付近の上澄み水の現在のアンモニア濃度の測定値を取得する（ステップＳ１０１）。日平均アンモニア濃度取得部１３は、取得されたアンモニア濃度の測定値、及び過去に取得されたアンモニア濃度の測定値に基づいて日平均アンモニア濃度を算出する（ステップＳ１０２）。日平均アンモニア濃度取得部１３は、算出した現時点における日平均アンモニア濃度を第２の目標値取得部１５に出力する。
【００４１】
第１の目標値取得部１４は、取得された現在のアンモニア濃度の測定値と、第１設定情報が示すアンモニア濃度と第１の送風量目標値との関係性とに基づいて、現時点における第１の送風量目標値を取得する（ステップＳ１０３）。第１の目標値取得部１４は、取得した第１の送風量目標値を第２の目標値取得部１５に出力する。
【００４２】
第２の目標値取得部１５は、日平均アンモニア濃度取得部１３によって算出された現時点における日平均アンモニア濃度と、第２設定情報が示す日平均アンモニア濃度の目標値とに基づいて、第１の送風量目標値の補正値ΔＹを決定する（ステップＳ１０４）。具体的には、第２の目標値取得部１５は、現時点における日平均アンモニア濃度がその目標値以上であるか否かを判定する。現時点における日平均アンモニア濃度が目標値未満である場合、第２の目標値取得部１５は、補正値ΔＹ＝０とする。一方、現時点における日平均アンモニア濃度が目標値以上である場合、第２の目標値取得部１５は、現時点における日平均アンモニア濃度と目標値との差に比例パラメータｋ１を乗じた値を補正値ΔＹとする。
【００４３】
第２の目標値取得部１５は、決定した補正値ΔＹと第１の目標値取得部１４が算出した第１の送風量目標値とに基づいて、第２の送風量目標値を算出する（ステップＳ１０５）。具体的には、第２の目標値取得部１５は、第１の送風量目標値に補正値ΔＹを加えた値を第２の送風量目標値とする。そして、第２の目標値取得部１５は、送風機５０の送風量が算出した第２の送風量目標値となるように送風機５０を制御する（ステップＳ１０６）。
【００４４】
図４は、第１の実施形態の有機排水処理システム１００によって実現される省エネルギー効果の具体例を示す図である。図４（Ａ）は、有機排水処理システム１００に流入する窒素量の１日の変動パターンの具体例を示す。図４（Ｂ）は、生物反応槽２０の出口付近のアンモニア濃度を一定とする従来の制御方式の具体例を示す。図４（Ｃ）は、本実施形態の有機排水処理システム１００における制御方式の具体例を示す。図４（Ｄ）は、従来の制御方式において決定される送風量目標値と、本実施形態の制御方式において決定される送風量目標値との比較を示す。
【００４５】
１日の流入窒素量が図４（Ａ）のように変動する場合、有機排水処理システム１００にかかる窒素除去に関する負荷は時点１で最大となり、時点２で最小となる。このような変動パターンで流入する下水に対して、図４（Ｂ）に示す従来の制御方式でアンモニア濃度を一定に保つように送風機５０の送風量を制御した場合、時点１における送風量目標値と時点２における送風量目標値との差が大きくなり、図４（Ｄ）に示すように、制御しようとする送風量の範囲が、送風量の動作可能範囲を超えてしまう場合がある。このような状況では、低負荷時においても十分に送風量を下げることができず、十分な省エネルギー効果を得ることができなくなる。
【００４６】
これに対して、本実施形態の制御方式では、現時点におけるアンモニア濃度の移動平均値（日平均アンモニア濃度）に基づいて送風量目標値を決定する。この場合、図４（Ｃ）に示すように、高負荷時のアンモニア濃度は従来方式よりも高くなるものの、低負荷時のアンモニア濃度が従来方式よりも低くなる。また、この場合、図４（Ｄ）に示すように、高負荷時（例えば時点１）の送風量目標値は従来方式よりも低くなり、低負荷時（例えば時点２）の送風量目標値は従来方式よりも高くなる。すなわち、本実施形態の制御方式は、１日における送風量目標値の変動幅を小さくすることができる。
【００４７】
このように構成された第１の実施形態の送風量制御装置１は、送風量目標値を常に送風機５０の動作可能範囲内に設定することができるため、より高い省エネルギー効果を得ることが可能となる。また、本実施形態の制御方式は、使用する送風機の動作可能範囲の制約を従来方式よりも緩和することができるため、既設の水処理設備に対しても容易に導入することができる。
【００４８】
（変形例）
第１の送風量目標値の補正値△Ｙは、日平均アンモニア濃度とその目標値との差に基づいて決定されるものであれば、どのような方法で決定されてもよい。例えば、補正値ΔＹは、次の式（７）によって算出されてもよい。
【００４９】
【数５】
2019018170.tif 000009
【００５０】
式（７）において、ＬＮＨ４は所定のマージン値を表す。例えば、ＬＮＨ４の値が０．１［ｍｇ／Ｌ］に、ＣＮＨ４の値が１．０［ｍｇ／Ｌ］にそれぞれ設定されている場合、ＭＮＨ４（日平均アンモニア濃度）が０．９［ｍｇ／Ｌ］を超えたときに第１の送風量目標値が補正される。そのため、式（５）及び（６）を用いて補正値ΔＹを決定する場合に比べて、日平均アンモニア濃度が、目標値である１．０［ｍｇ／Ｌ］を超過するリスクを低下させることが可能となる。
【００５１】
（第２の実施形態）
図５は、第２の実施形態における有機排水処理システム１００ａの構成の具体例を示す図である。有機排水処理システム１００ａは、流入流量計２４をさらに備える点、送風量制御装置１に代えて送風量制御装置１ａを備える点で第１の実施形態における有機排水処理システム１００と異なる。他の構成は第１の実施形態の有機排水処理システム１００と同様のため、図１と同じ符号を付すことにより同様の構成の説明を省略する。
【００５２】
流入流量計２４は、最初沈澱池１０から生物反応槽２０に流入する被処理水の流量（以下「流入流量」という。）を測定する。流入流量計２４は、所定のタイミングで周期的に流入流量を測定し、測定した流入流量を示す情報を送風量制御装置１ａに送信する。なお、流入流量計２４は、生物反応槽２０に流入する被処理水の流量を測定可能な位置であれば、図５に示す位置に限らず、どのような位置に設置されてもよい。
【００５３】
送風量制御装置１ａは、第１設定部１１に代えて第１設定部１１ａを備える点、第１の目標値取得部１４に代えて第１の目標値取得部１４ａを備える点、第２の目標値取得部１５に代えて第２の目標値取得部１５ａを備える点で第１の実施形態における送風量制御装置１と異なる。他の機能部は第１の実施形態の送風量制御装置１と同様のため、図１と同じ符号を付すことにより同様の機能部の説明を省略する。
【００５４】
第１設定部１１ａは、第１の目標値取得部１４ａに対して、アンモニア濃度と送風量の空気倍率の目標値（以下「空気倍率目標値」という。）との関係を示す情報を第１設定情報として出力する。第１の実施形態と同様に、第１設定情報は、アンモニア濃度を入力として空気倍率目標値を出力する関数を示す情報であってもよいし、個々のアンモニア濃度又はアンモニア濃度の範囲に対して空気倍率目標値が対応づけられたテーブルを示す情報であってもよい。
【００５５】
図６は、第２の実施形態における第１設定情報の具体例を示す図である。図６は、第２の実施形態における第１設定情報が、第１の実施形態と同様の目標値関数（図２参照）として表される場合の具体例を示す。図６（Ａ）〜（Ｃ）のそれぞれにおいて、実線は目標値関数を表し、破線は第１の空気倍率目標値Ｚ１をΔＺで補正することによって得られる第２の送風量目標値Ｚ２を表す。第１の実施形態と同様に、測定された現在のアンモニア濃度に応じて定まる第２の空気倍率目標値が、実際の制御に用いられる空気倍率目標値となる。これらの目標値関数は、第１の実施形態と同様に、過去の運転データ等に基づいて決定されるとよい。
【００５６】
図５の説明に戻る。第１の目標値取得部１４ａは、第１設定部１１ａから出力された第１設定情報と、アンモニア濃度計２１によって取得された生物反応槽２０の現在のアンモニア濃度とに基づいて、第１の空気倍率目標値を算出する。例えば、第１設定情報は、次の式（８）に示す関数Ｇによって表される。
【００５７】
【数６】
2019018170.tif 000010
【００５８】
【数７】
2019018170.tif 000011
【００５９】
式（８）において、Ｚ１は現在のアンモニア濃度に対応する第１の空気倍率目標値を表す。第１の目標値取得部１４ａは、算出した第１の空気倍率目標値を第２の目標値取得部１５ａに出力する。
【００６０】
第２の目標値取得部１５ａは、第２設定部１２から出力された第２設定情報と、日平均アンモニア濃度取得部１３によって取得された日平均アンモニア濃度と、第１の目標値取得部１４ａによって取得された第１の空気倍率目標値とに基づいて、第２の空気倍率目標値を算出する。例えば、第２の目標値取得部１５ａは、次の式（１０）によって第１の空気倍率目標値の補正値ΔＺを算出する。
【００６１】
【数８】
2019018170.tif 000012
【００６２】
式（１０）において、ｋ２は、日平均アンモニア濃度とその目標値との差分に基づいて補正値ΔＺを決定するための比例パラメータ［１／（ｍｇ／Ｌ）］である。第２の目標値取得部１５ａは、このように算出した補正値ΔＺを用いて第１の空気倍率目標値を補正することにより、実際の制御に用いる最終的な空気倍率目標値として第２の空気倍率目標値を取得する。例えば、第２の目標値取得部１５ａは、次の式（１１）によって第２の空気倍率目標値Ｚ２を算出する。
【００６３】
【数９】
2019018170.tif 000013
【００６４】
第２の目標値取得部１５ａは、送風機５０の送風量が、算出した第２の空気倍率目標値に基づく送風量となるように送風機５０を制御する。例えば、第２の目標値取得部１５ａは、インバータにより送風ファンを駆動するモータの回転数を制御する。なお、空気倍率をＺとした場合の送風量Ｙ［ｍ３／ｈ］は、流入流量計２４によって測定される流入流量Ｑｉｎ［ｍ３／ｈ］を用いて次の式（１２）によって表される。
【００６５】
【数１０】
2019018170.tif 000014
【００６６】
このように構成された第２の実施形態の送風量制御装置１ａは、第１の実施形態と同様の効果を奏することができる。
【００６７】
（変形例）
第１の実施形態における送風量目標値と同様に、空気倍率目標値の補正値ΔＺは、日平均アンモニア濃度とその目標値との差に基づいて決定されるものであれば、どのような方法で決定されてもよい。例えば、補正値ΔＺは、第１の実施形態と同様にマージン値を含めて算出されてもよい。
【００６８】
（第３の実施形態）
図７は、第３の実施形態における有機排水処理システム１００ｂの構成の具体例を示す図である。有機排水処理システム１００ｂは、ＤＯ濃度計２５をさらに備える点、送風量制御装置１に代えて送風量制御装置１ｂを備える点で第１の実施形態における有機排水処理システム１００と異なる。他の構成は第１の実施形態の有機排水処理システム１００と同様のため、図１と同じ符号を付すことにより同様の構成の説明を省略する。
【００６９】
ＤＯ濃度計２５は、例えば生物反応槽２０の下流側の出口付近に設置され、最終沈澱池３０に送られる上澄み水のＤＯ（Dissolved Oxygen：溶存酸素）濃度を測定する。ＤＯ濃度計２５は、所定タイミングで周期的にＤＯ濃度を測定し、測定したＤＯ濃度を示す情報を、送風量制御装置１ｂに送信する。なお、ＤＯ濃度計２５は、アンモニアがある程度除去された状態の被処理水を測定可能な位置であれば、どのような位置に設置されてもよい。例えば、ＤＯ濃度計２５は、アンモニア濃度計２１と同じ位置に設置されてもよいし、生物反応槽２０と最終沈澱池３０との間の配水路に設置されてもよいし、最終沈澱池３０に設置されてもよい。
【００７０】
送風量制御装置１ｂは、第１設定部１１に代えて第１設定部１１ｂを備える点、第１の目標値取得部１４に代えて第１の目標値取得部１４ｂを備える点、第２の目標値取得部１５に代えて第２の目標値取得部１５ｂを備える点、ＤＯ制御部１６をさらに備える点で第１の実施形態における送風量制御装置１と異なる。他の機能部は第１の実施形態の送風量制御装置１と同様のため、図１と同じ符号を付すことにより同様の機能部の説明を省略する。
【００７１】
第１設定部１１ｂは、第１の目標値取得部１４ｂに対して、アンモニア濃度とＤＯ濃度の目標値（以下「ＤＯ目標値」という。）との関係を示す情報を第１設定情報として出力する。第１の実施形態と同様に、第１設定情報は、アンモニア濃度を入力としてＤＯ目標値を出力する関数を示す情報であってもよいし、個々のアンモニア濃度又はアンモニア濃度の範囲に対してＤＯ目標値が対応づけられたテーブルを示す情報であってもよい。
【００７２】
図８は、第３の実施形態における第１設定情報の具体例を示す図である。図８は、第３の実施形態における第１設定情報が、第１の実施形態と同様の目標値関数（図２参照）として表される場合の具体例を示す。図８（Ａ）〜（Ｃ）のそれぞれにおいて、実線は目標値関数を表し、破線は第１のＤＯ目標値Ｄ１をΔＤで補正することによって得られる第２のＤＯ目標値Ｄ２を表す。第１の実施形態と同様に、測定された現在のアンモニア濃度に応じて定まる第２のＤＯ目標値が、実際の制御に用いられるＤＯ目標値となる。これらの目標値関数は、第１の実施形態と同様に、過去の運転データ等に基づいて決定されるとよい。
【００７３】
図７の説明に戻る。第１の目標値取得部１４ｂは、第１設定部１１ｂから出力された第１設定情報と、アンモニア濃度計２１によって取得された生物反応槽２０の現在のアンモニア濃度とに基づいて、第１のＤＯ目標値を算出する。例えば、第１設定情報は、次の式（１３）に示す関数Ｈによって表される。
【００７４】
【数１１】
2019018170.tif 000015
【００７５】
【数１２】
2019018170.tif 000016
【００７６】
式（１３）において、Ｄ１は現在のアンモニア濃度に対応する第１のＤＯ目標値を表す。第１の目標値取得部１４ｂは、算出した第１のＤＯ目標値を第２の目標値取得部１５ｂに出力する。
【００７７】
第２の目標値取得部１５ｂは、第２設定部１２から出力された第２設定情報と、日平均アンモニア濃度取得部１３によって取得された日平均アンモニア濃度と、第１の目標値取得部１４ｂによって取得された第１のＤＯ目標値とに基づいて、第２のＤＯ目標値を算出する。例えば、第２の目標値取得部１５ｂは、次の式（１５）によって第１のＤＯ目標値の補正値ΔＤを算出する。
【００７８】
【数１３】
2019018170.tif 000017
【００７９】
式（１５）において、ｋ３は、日平均アンモニア濃度とその目標値との差分に基づいて補正値ΔＤを決定するための比例パラメータである。第２の目標値取得部１５ｂは、このように算出した補正値ΔＤを用いて第１のＤＯ目標値を補正することにより、実際の制御に用いる最終的なＤＯ目標値として第２のＤＯ目標値を取得する。例えば、第２の目標値取得部１５ｂは、次の式（１６）によって第２のＤＯ目標値Ｄ２を算出する。第２の目標値取得部１５ｂは、算出した第２のＤＯ目標値をＤＯ制御部１６に出力する。
【００８０】
【数１４】
2019018170.tif 000018
【００８１】
ＤＯ制御部１６は、送風機５０の送風量が、第２の目標値取得部１５ｂによって算出された第２のＤＯ目標値に基づく送風量となるように送風機５０を制御する。例えば、ＤＯ制御部１６は、インバータにより送風ファンを駆動するモータの回転数を制御する。この場合、ある時刻ｔにおけるＤＯ濃度の測定値をＤ（ｔ）とすると、時刻ｔにおける送風量目標値Ｙ（ｔ）は、例えば次の式（１７）〜（１９）によって算出される。
【００８２】
【数１５】
2019018170.tif 000019
【００８３】
【数１６】
2019018170.tif 000020
【００８４】
【数１７】
2019018170.tif 000021
【００８５】
式（１７）〜（１９）は、ＰＩ制御（Proportional-Integral Controller）やＰＩＤ制御（Proportional-Integral Controller）等のフィードバック制御の一例である速度型ＰＩ制御を表す式である。式（１７）〜（１９）において、Ｙ（ｔ）は時刻ｔにおける送風量目標値を表す。Ｋｐ及びＴＩは、それぞれＰＩ制御パラメータである比例ゲイン及び積分定数を表す。Δｔは制御周期を表し、ΔＹ（ｔ）は時刻ｔにおける送風量目標値の変化量を表す。Ｄ２（ｔ）は、時刻ｔにおいて第２の目標値取得部１５ｂから出力される第２のＤＯ目標値を表す。
【００８６】
このように構成された第３の実施形態の送風量制御装置１ｂは、第１の実施形態と同様の効果を奏することができる。なお、第３の実施形態の有機排水処理システム１００ｂは、ＤＯ濃度の目標値に基づいて送風量を制御するため、第１の実施形態や第２の実施形態に比べて流入水質や流入水量の変動に対して、処理水の水質を担保しやすいという利点がある。このため、第３の実施形態の送風量制御装置１ｂは、流入水量や流入水質の変動が大きい下水処理場等の有機排水処理施設に適しており、変動が小さい食品工場等の有機排水処理施設には、第１の実施形態の送風量制御装置１又は第２の実施形態の送風量制御装置１ａが適していると考えられる。
【００８７】
（第４の実施形態）
図９は、第４の実施形態における有機排水処理システム１００ｃの構成の具体例を示す図である。有機排水処理システム１００ｃは、送風量制御装置１ｂに代えて送風量制御装置１ｃを備える点で第３の実施形態における有機排水処理システム１００ｂと異なる。さらに、送風量制御装置１ｃは、第１設定部１１ｂに代えて第１設定部１１ｃを備える点で第３の実施形態の送風量制御装置１ｂと異なる。他の構成は第３の実施形態の有機排水処理システム１００ｂと同様のため、図７と同じ符号を付すことにより同様の構成の説明を省略する。
【００８８】
第１設定部１１ｃは、第１の目標値取得部１４ｂに対して、アンモニア濃度とＤＯ目標値との関係を日の種別ごとに示す情報を第１設定情報として出力する。日の種別は、流入する排水の水量や水質、流入パターン等、水処理に影響する諸要素（以下「影響要素」という。）が他の日とは大きく異なることが予想される日であればどのように定義されてもよい。
【００８９】
図１０は、第４の実施形態における第１設定情報の具体例を示す図である。図１０は、
アンモニア濃度とＤＯ目標値との関係を、平日、休祝日及び特異日ごとに示す第１設定情報の例である。例えば、特異日はゴールデンウィーク等の連休として定義されてもよいし、夏季や冬期等の季節ごとの連休として定義されてもよい。なお、第１設定情報は、図１０に示す以外の種別で表されてもよい。例えば、第１設定情報は、曜日別に表れてもよいし、平日又は休日別に表されてもよい。送風量制御装置１ｃは、処理日に応じた第１設定情報に基づいて、第３の実施形態と同様の処理を行う。
【００９０】
このように構成された第４の実施形態の送風量制御装置１ｃは、処理日の特性に応じて送風機５０の送風量を制御することができる。そのため、より省エネルギー効果を高めることが可能となる。
【００９１】
特に下水処理場においては、人の活動パターンにより、下水処理場に流入する水量や水質が大きく異なる場合がある。例えば、居住地域においては、休祝日や特異日に平日における水量が増加し、処理水の水質が悪化する傾向がある。一方、工場地域などでは、休祝日に人口が減るため、水量が減少し、処理水の水質が向上する傾向がある。そのため、処理対象とする地域の特性や、日の種別ごとの特性に応じた第１設定情報を用いることにより、省エネルギー効果を高めることが可能となる。
【００９２】
（変形例）
第１設定情報は、必ずしも日の種別ごとに表される必要はない。例えば、第１設定情報は、時間帯別に表されてもよい。また、例えば、第１設定情報は、晴天時及び雨天時等の天候別に表されてもよい。また、例えば、第１設定情報は、月や週など、複数日からなる期間別に表されてもよい。
【００９３】
このような日又は期間ごとに設定される第１設定情報に基づいて第１の目標値を算出する構成は、第１〜第３の実施形態の送風量制御装置に適用されてもよい。
【００９４】
以上説明した少なくともひとつの実施形態によれば、生物反応槽内の被処理水のアンモニア濃度の日平均アンモニア濃度（移動平均アンモニア濃度の一例）を算出する日平均アンモニア濃度取得部（移動平均アンモニア濃度取得部の一例）と、日平均アンモニア濃度と、日平均アンモニア濃度の目標値との差に基づいて生物反応槽に空気を供給する送風機の送風量を制御する第１及び第２の目標値取得部（制御部の一例）と、を持つことにより、より高い省エネルギー効果を得ることができる。
【００９５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９６】
１００，１００ａ，１００ｂ，１００ｃ…有機排水処理システム、１，１ａ，１ｂ，１ｃ…送風量制御装置、１１，１１ａ，１１ｂ，１１ｃ…第１設定部、１２…第２設定部、１３…日平均アンモニア濃度取得部、１４，１４ａ，１４ｂ…第１の目標値取得部、１５，１５ａ，１５ｂ…第２の目標値取得部、１６…ＤＯ（Dissolved Oxygen）制御部、１０…最初沈澱池、２０…生物反応槽、２１…アンモニア濃度計、２２…空気配管、２３…吹き出し管、２４…流入流量計、２５…ＤＯ濃度計、３０…最終沈澱池、４０…返送汚泥ポンプ、５０…送風機
【図１】
2019018170.tif 000022
【図２】
2019018170.tif 000023
【図３】
2019018170.tif 000024
【図４】
2019018170.tif 000025
【図５】
2019018170.tif 000026
【図６】
2019018170.tif 000027
【図７】
2019018170.tif 000028
【図８】
2019018170.tif 000029
【図９】
2019018170.tif 000030
【図１０】
2019018170.tif 000031